(57)【要約】【課題】本発明は、コンテンツを配信するための方法とシステムを対象とする。【解決手段】本発明は、保管形式のコンテンツを配信する方法とシステムである。ストリーミングコンテンツは、ユーザのリストにブロードキャストされ得る。ユーザが特定のコンテンツを保存することを望むと、保管形式の特定のコンテンツがユーザの保存媒体に配信され得る。各ユーザは、登録によりユーザのコンテンツの好みが記載されるカスタマイズサービスに登録し得る。ユーザの好みに基づくコンテンツが、ユーザにストリーミングコンテンツ形式でブロードキャストされ得る。このことは、ユーザにブロードキャストされる全てのコンテンツの選択肢がユーザの好みに基づき得るため、ユーザが望ましいコンテンツの選択肢をより容易な方法で購入及び／又は保存することを可能にし得る。【選択図】図１
2005071348.tif 000002
【特許請求の範囲】
【請求項１】
ストリーミングコンテンツ形式でコンテンツを送信し、
特定のコンテンツを保存する要求を受信し、
前記特定のコンテンツを保存する要求が受信されると、ユーザの保存媒体に保管形式で前記特定のコンテンツを配信すること
を有するコンテンツを配信するための方法であって、
前記ストリーミングコンテンツ形式が、コンテンツの保存を回避し、
前記保管形式がコンテンツの保存を可能にし、
前記保管形式での前記特定のコンテンツの要求と配信が、前記ストリーミングコンテンツ形式でのコンテンツの送信とリアルタイムに生じる方法。
【請求項２】
請求項１に記載の方法であって、
前記ストリーミングコンテンツ形式が、コピープロテクトされている方法。
【請求項３】
請求項１に記載の方法であって、
前記保管形式が、コピープロテクトされている方法。
【請求項４】
請求項１に記載の方法であって、
前記特定のコンテンツを保存する前記要求のための支払いを認めることを更に有する方法。
【請求項５】
請求項４に記載の方法であって、
前記要求のための前記支払いを認めることが、コンテンツの前払いから請求を引き落とすことを含む方法。
【請求項６】
請求項１に記載の方法であって、
前記ストリーミングコンテンツ形式で送信されたコンテンツが、前記ユーザの好みのリストに基づく方法。
【請求項７】
ストリーミングコンテンツ形式でコンテンツを送信する手段と、
特定のコンテンツを保存する要求を受信する手段と、
前記特定のコンテンツを保存する要求が受信されると、ユーザの保存媒体に保管形式で前記特定のコンテンツを配信する手段と
を有するコンテンツを配信するためのシステムであって、
前記ストリーミングコンテンツ形式が、コンテンツの保存を回避し、
前記保管形式がコンテンツの保存を可能にし、
前記保管形式での前記特定のコンテンツの要求と配信が、前記ストリーミングコンテンツ形式でのコンテンツの送信とリアルタイムに生じるシステム。
【請求項８】
請求項７に記載のシステムであって、
前記ストリーミングコンテンツ形式が、コピープロテクトされているシステム。
【請求項９】
請求項７に記載のシステムであって、
前記保管形式が、コピープロテクトされているシステム。
【請求項１０】
請求項７に記載のシステムであって、
前記特定のコンテンツを保存する前記要求のための支払いを認める手段を更に有するシステム。
【請求項１１】
請求項７に記載のシステムであって、
前記ストリーミングコンテンツ形式で送信されたコンテンツが、前記ユーザの好みのリストに基づくシステム。
【請求項１２】
特定のユーザの好みのリストを引き出し、
前記特定のユーザにストリーミングコンテンツ形式で前記好みのリストに基づいてコンテンツを送信し、
特定のコンテンツを保存する要求を受信し、
前記特定のコンテンツを保存する要求が受信されると、前記特定のユーザの保存媒体に保管形式で前記特定のコンテンツを配信すること
を有するコンテンツを配信するための方法であって、
前記ストリーミングコンテンツ形式が、コンテンツの保存を回避し、
前記保管形式がコンテンツの保存を可能にし、
前記保管形式での前記特定のコンテンツの要求と配信が、前記ストリーミングコンテンツ形式でのコンテンツの送信とリアルタイムに生じる方法。
【請求項１３】
請求項１２に記載の方法であって、
前記ストリーミングコンテンツ形式が、コピープロテクトされている方法。
【請求項１４】
請求項１２に記載の方法であって、
前記保管形式が、コピープロテクトされている方法。
【請求項１５】
請求項１２に記載の方法であって、
前記特定のコンテンツを保存する前記要求のための支払いを認めることを更に有する方法。
【請求項１６】
請求項１２に記載の方法であって、
前記要求のための前記支払いを認めることが、コンテンツの前払いから請求を引き落とすことを含む方法。
【請求項１７】
請求項１２に記載の方法であって、
前記特定のコンテンツが、歌曲である方法。
【請求項１８】
請求項１２に記載の方法であって、
前記保管形式が、ＭＰ３形式を含む方法。
【発明の詳細な説明】
【技術分野】
【０００１】
本発明は、概してデータ転送の分野に関するものであり、特に、望ましいコンテンツを顧客にオンライン販売するためのシステム及び方法に関するものである。
【背景技術】
【０００２】
音楽及び映像ファイルの引き出しと編集は、個人間で大いに普及してきている。現在、多数のオンラインビジネスが、媒体コンテンツの登録に基づく及び手数料に基づく引き出しを提供している。このことは、各コンテンツの選択がその消費者に望ましいコンテンツのセットを消費者が作ることを消費者に可能にするため、有利である。
【０００３】
しかし、望ましい音楽の選択を判断することは、多くの場合、消費者にとって不都合である。オンライン配信業者から音楽の選択肢を聞き、特定の選択肢を購入するかどうかを決めることによる多大な時間と努力が費やされることがある。ユーザが従来のラジオの環境のようなストリーミング媒体の形式を介してコンテンツの選択肢を聞き又は見ることができれば、そしてユーザが特定の選択肢を好む場合に、ユーザが保管用に適した形式でコンテンツの選択肢を引き出すことができれば、有利である。従って、ストリーミングコンテンツを変換することにより、保管コンテンツを配信する方法とシステムが必要である。
【特許文献１】ＵＳ５，８１９，１６０
【特許文献２】ＵＳ６，１８２，１２８
【特許文献３】ＵＳ６，２１２，５５５
【特許文献４】ＵＳ６，３０８，２２２
【特許文献５】ＵＳ６，３０８，２６９
【特許文献６】ＵＳ６，３１７，７７９
【特許文献７】ＵＳ６，３４５，２７９
【特許文献８】ＵＳ６，３６３，３５７
【特許文献９】ＵＳ６，４０７，６８０
【特許文献１０】ＵＳ４，７８８，６７５
【特許文献１１】ＷＯ００／７７９９９
【発明の開示】
【発明が解決しようとする課題】
【０００４】
従って、本発明は、コンテンツを配信するための方法とシステムを対象とする。
【課題を解決するための手段】
【０００５】
本発明の実施例において、ストリーミングコンテンツは、１人以上の加入者にブロードキャストされ得る。ブロードキャストされた特定のコンテンツを保存するという加入者からの要求に応じて、コンテンツの保存を可能にする保管形式でのコンテンツが加入者に提供され得る。本発明の有利な態様において、保管形式のコンテンツは、ストリーミングコンテンツ形式のコンテンツの送信と同時に提供され得る。
【０００６】
本発明の第２の態様において、ユーザは、本発明のオンラインコンテンツ配信サービスに申し込み得る。申込みは、ユーザのコンテンツの好みを記載したユーザの登録を含み得る。ユーザの好みに基づいたコンテンツが、ストリーミングコンテンツ形式でユーザにブロードキャストされ得る。このことは、ユーザにブロードキャストされる全てのコンテンツの選択肢がユーザの好みに基づき得るため、ユーザが望ましいコンテンツの選択肢をより容易な方法で購入及び／又は保存することを可能にし得る。
【０００７】
当然ながら、前述の全般的な説明と以下の詳細な説明の双方が、例示的で説明的のみであり、特許請求の範囲を限定するものではない。添付の図面は、本発明の実施例を説明し、全般的な説明とともに、本発明の原理を説明することに役立つ。
【発明の効果】
【０００８】
ユーザが望ましいコンテンツの選択肢をより容易な方法で購入及び／又は保存することを可能にする。
【発明を実施するための最良の形態】
【０００９】
次に、本発明の好ましい実施例に詳細な参照が行われ、その例が添付の図面に示されている。
【００１０】
図１を参照すると、本発明の実施例によるコンテンツを配信するためのシステム１００が示されている。本発明のコンテンツ配信サービス１１０は、情報処理システムを含むホストサーバにより実施され得る。本発明の１つの実施例において、オンラインコンテンツ配信サービスは、ストリーミングコンテンツ機能を備えたウェブサイトを含み得る。コンテンツ配信サービス１１０がストリーミング媒体を提供する場合、ストリーミング媒体は、再生装置で保管され得ない形式であることがある。このことは、コンテンツの不当なコピーと配信を回避し得るため、有利である。オンラインコンテンツ配信サービスは、コンテンツデータベース１２０にアクセスして、ネットワーク１４０の全体に渡るユーザにブロードキャストされ、デジタル情報装置１５０でユーザにより受信され得るコンテンツの選択肢を取得し得る。コンテンツデータベースは、コンテンツの保存を可能にする保管形式のコンテンツを含み得る。ネットワーク１４０は、デジタルのブロードキャスト媒体であることがある。本発明の１つの実施例において、ネットワーク１４０は、インターネットであることがある。デジタル情報装置は、パーソナルコンピュータ、個人情報端末、携帯電話、ウェブブラウザ等のように、ストリーミングコンテンツを引き出して再生することができる何らかの装置を有することがある。
【００１１】
ユーザがストリーミングコンテンツのブロードキャストを介してブロードキャストされる特定のコンテンツの選択肢を保存することを望む場合、コンテンツの選択肢を保存する要求は、デジタル情報装置１５０を介して実行され得る。コンテンツの選択肢を保存する要求の実行は、デジタル情報装置の“記録”ボタンを押すことにより実施され得る。コンテンツの選択肢を保存する要求を受信すると、コンテンツ配信サービス１１０は、ストリーミングコンテンツ形式で放送される特定のコンテンツを、コンテンツの保存を可能にした保管形式でユーザに提供し得る。保管形式のコンテンツは、ユーザの保存媒体に保存され得る。有利には、保管形式は、コンテンツが違法な方法で広く配信されることを回避するコンテンツ保護機能を有することがある。本発明の他の有利な態様は、異なる形式で再度ダウンロードする必要なく、リアルタイムでストリーミングコンテンツを購入することができることである。
【００１２】
コンテンツ配信サービス１００はまた、顧客データベース１３０にアクセスし得る。顧客データベースは、顧客情報と支払い許可情報とユーザの好みとを含み得る。例えば、ユーザは、希望する音楽のジャンルや、特定の音楽家や、特定の年代等を提供し得る。この情報から、コンテンツ配信サービスは、コンテンツデータベース１２０を相互参照し、ユーザの好みに基づいてユーザにコンテンツのストリーミングコンテンツのブロードキャストを可能にし得る。このことは、永続的な保存用にユーザにとって望ましい可能性のあるコンテンツの選択肢をユーザが試すことを可能にし得るため、有利である。本発明の他の実施例において、形式上ユーザの好みに似た特定の“ステーション”がユーザにブロードキャストされることがある。
【００１３】
保存されるコンテンツの選択肢の支払いは、いくつかの方法で達成され得る。例えば、ユーザは所定の量のコンテンツを前払いし、その情報が顧客情報と共に保存され、又はデジタル情報装置内に保存されることがある。ユーザがコンテンツの選択肢を購入することを決めると、その購入が前払いのクレジットから引き落とされることがある。他の実施例において、アカウントが作られ、コンテンツ配信サービス１１０のウェブサイトに保存され得る。ユーザがコンテンツ配信サービスからストリーミングコンテンツを受信することを希望するときに、ユーザは前記サービスにログインし得る。ユーザがコンテンツの選択肢を購入するときに、クレジットカードへの請求が行われることがある。
【００１４】
当然ながら、図１は、望ましい全体の機能を提供するために実施され得る本発明の例示的な機能的態様を表したものである。コンテンツを配信するためのシステム１００は、本発明の範囲を逸脱することなく、当業者によって多様な方法で実施され得る。
【００１５】
前述の通り、コンテンツは、ストリーミングコンテンツ形式でコンテンツ配信サービスによりブロードキャストされ得る。ストリーミングは、コンテンツが従来のブロードキャストネットワーク上でリアルタイムに送信されるような方法で、リアルタイムでのネットワーク上の“連続的な”デジタルコンテンツを配信する機能のことを参照する。ストリーミングコンテンツは、永続的には保存されないが、コンテンツの一部が再生されるのに十分な長さのみが一時的にのみ保存される。
【００１６】
ストリーミングコンテンツは、エンコーダとサーバとプレイヤを使用する連続的なブロードキャストを通じて動作し得る。エンコーダは、コンテンツデータベース１２０に保管形式で保存された音声コンテンツをストリーミングコンテンツ形式に変換する。パーソナルコンピュータ、サーバ又はそれと同様のものは、インターネットのようなネットワーク１４０上に利用可能なストリーミングコンテンツを作る。プレイヤはコンテンツを受信する。プレイヤの例には、Ｒｅａｌ  Ｎｅｔｗｏｒｋｓ  Ｉｎｃ．のＲｅａｌＯｎｅ（商標）と、Ｍｉｃｒｏｓｏｆｔ  ＣｏｒｐｏｒａｔｉｏｎのＷｉｎｄｏｗｓ（登録商標）  Ｍｅｄｉａ  Ｐｌａｙｅｒが含まれることがある。
【００１７】
ストリーミングコンテンツは、大勢の視聴者にマルチキャストされることがあり、又は単一のユーザに送信（すなわちユニキャスト）されることがある。ストリーミングの有利な面は、デジタルコンテンツの所有者の所有権と複製権の保護に対応するように設計されていることである。コンテンツの所有者は、どの視聴者又は加入者がコンテンツを見る権利又は聞く権利を有するかを直接制御し得る。
【００１８】
例えば、コンテンツプロバイダによって許可されていない場合、ストリーミングされたコンテンツは容易に記録できず、それ故に保存が回避される。ストリーミングされたコンテンツの保存を回避するために、ストリーミングコンテンツプレイヤと共に加入者管理システムを使用することが、技術的に周知である。本発明の有利な態様において、本発明のコンテンツ配信サービス１１０の加入者は、コンテンツを聞くことのみが可能であり、ストリーミングコンテンツ形式で配信されたコンテンツを保存することを回避されることがある。
【００１９】
保管形式は、メモリにファイルの保存をすることができないデジタルファイルのことを参照することがある。ＭＰ３（Ｍｏｔｉｏｎ  Ｐｉｃｔｕｒｅｓ  Ｅｘｐｅｒｔ  Ｇｒｏｕｐ  Ｌａｙｅｒ３）が、後の再生のために音声データを保存するために使用され得る普及した保管形式であることが、技術的に周知である。更に、他の形式の保管形式は、ＷＭＡ（Ｗｉｎｄｏｗｓ（登録商標）  Ｍｅｄｉａ  Ａｐｐｌｉｃａｔｉｏｎ）であることがある。保管形式は、好ましくはコンテンツが違法な方法で広く配信されることを回避するために、ＷＭＡに含まれるようなコンテンツ保護機能を有することがある。従って、ユーザが現在ストリーミングコンテンツ形式でブロードキャストされている特定のコンテンツを保存することを望む場合、ユーザは、コンテンツを購入する要求を開始し得る。コンテンツ配信サービス１１０がその要求を受信すると、特定のコンテンツがリアルタイムでユーザの保存媒体に配信され得る。
【００２０】
図２を参照すると、本発明の実施例によるコンテンツを配信するための処理２００の実施例が示されている。本発明の処理２００は、図１のコンテンツ配信サービス１１０によって実行され得る。処理２００は、ストリーミングコンテンツの送信２１０で開始し得る。ストリーミングコンテンツは、再生装置で保管され得ない形式であることがある。例えば、ストリーミングコンテンツは、ＲｅａｌＡｕｄｉｏ形式であることがある。
【００２１】
ユーザがコンテンツの選択肢を購入することを決めると、図１のコンテンツ配信サービス１１０は、特定のコンテンツを保存する要求を受信し得る２２０。要求が受信されると、取引が承認され得るかどうかを判断するために支払い情報が検索され得る。承認の後に、ユーザの保存媒体にコンテンツの保存を可能にする保管形式でコンテンツがユーザに配信され得る２３０。コンテンツを保存する要求の受信と、ユーザへのコンテンツの配信とが、コンテンツの送信とリアルタイムに生じることがある。
【００２２】
図１のコンテンツ配信サービス１１０によるコンテンツの保存が、ある形式の保管形式であることがあり、その一方でユーザが他の形式の保管形式を望むことが考えられる。例えば、本発明の１つの実施例において、コンテンツ配信サービスは、ＭＰ３（Ｍｏｔｉｏｎ  Ｐｉｃｔｕｒｅｓ  Ｅｎｔｅｒｔａｉｎｍｅｎｔ  Ｇｒｏｕｐ  Ｌａｙｅｒ３）規格に従ってコンテンツを保存することがあり、ユーザは、ユーザの申込みによって示した通り、ＷＭＡ（Ｗｉｎｄｏｗｓ（登録商標）  Ｍｅｄｉａ  Ａｐｐｌｉｃａｔｉｏｎ）の保管形式を望んでいる。そのような場合、コンテンツ配信サービス１１０は、特定のコンテンツをユーザに望まれる保管形式に変換し得る。保管形式は、その形式に関わらず、好ましくは、違法な方法でコンテンツが広く配信されることを回避するために、ＷＭＡに含まれるようなコンテンツ保護機能を有することがある。
【００２３】
次に図３を参照すると、本発明によるコンテンツを配信するための処理３００の他の実施例が示されている。本発明の処理３００は、図１のコンテンツ配信サービス１１０によって実行され得る。処理３００は、ユーザの好みを含むユーザの登録を引き出すことで開始し得る。登録の受信は、ユーザが本発明の図１のコンテンツ配信サービス１１０にログインするときに実行され得る。ユーザの好みに基づいたストリーミングコンテンツが、ユーザに送信され得る３２０。ストリーミングコンテンツは、再生装置で保管され得ない形式であることがあり、例えばコンテンツの保存を回避する。例えば、ストリーミングコンテンツは、ＲｅａｌＡｕｄｉｏ形式であることがある。
【００２４】
ユーザがコンテンツの選択肢を購入することを決めると、図１のコンテンツ配信サービス１１０は、特定のコンテンツを保存する要求を受信し得る３３０。要求が受信されると、取引が承認され得るかどうかを判断するために支払い情報が検索され得る。支払いが確保されると３４０、ユーザの保存媒体にコンテンツの保存を可能にする保管形式でコンテンツがユーザに配信され得る３５０。コンテンツを保存する要求の受信と、保管形式のコンテンツ形式の配信とが、コンテンツの送信とリアルタイムに生じることがある。本発明の１つの実施例において、保管用に適した形式は、ＭＰ３（Ｍｏｔｉｏｎ  Ｐｉｃｔｕｒｅｓ  Ｅｎｔｅｒｔａｉｎｍｅｎｔ  Ｇｒｏｕｐ  Ｌａｙｅｒ３）であることがある。他の実施例においては、保管に適した形式は、ＷＭＡ（Ｗｉｎｄｏｗｓ（登録商標）  Ｍｅｄｉａ  Ａｐｐｌｉｃａｔｉｏｎ）であることがある。保管形式は、好ましくは、違法な方法でコンテンツが広く配信されることを回避するために、ＷＭＡに含まれるようなコンテンツ保護機能を有することがある。
【００２５】
次に図４を参照すると、本発明によるハードウェアシステムが示されている。図４に示されるハードウェアシステムは、本発明の図１のコンテンツ配信サービス１１０を実施する情報処理システム４００の好ましいハードウェア構成を一般的に表したものである。本発明の１つの実施例において、情報処理システム４００は、図２と図３に示した本発明の処理２００と３００を実行することが可能なことがある。例えば、処理２００と３００のステップは、情報処理システム４００によって実行可能な命令のプログラムとして実装され得る。コントローラ、例えば処理システム４０２は、情報処理システム４００を制御する。処理システム４０２は、プログラムを実行し、データ操作を実行し、情報処理システム４００のタスクを制御するためのマイクロプロセッサ又はマイクロコントローラのような中央処理ユニットを有する。処理システム４０２との通信は、情報処理システム４００の装置間で情報を転送するためのメッセージバス又はシステムバス４１０を通じて実施され得る。システムバス４１０は、保存装置と情報処理システム４００の他の周辺装置との間の情報転送を促進するためのデータチャネルを有することがある。システムバス４１０は、データバスとアドレスバスと制御バスを含む、処理システム４０２と通信するために必要な一式の信号を更に提供する。システムバス４１０は、公表された規格に従う最新技術のバス構成からなることがある。その例として、ＩＳＡ（業界標準アーキテクチャ）、ＥＩＳＡ（拡張業界標準アーキテクチャ）、ＭＣＡ（マイクロ・チャネル・アーキテクチャ）、ＰＣＩ（周辺装置相互接続）ローカルバス、ＧＰＩＢ（汎用インタフェースバス）やＩＥＥＥ６９６／Ｓ−６００等を含むＩＥＥＥ（電気電子学会）により公表された規格がある。更に、システムバス４１０は、何らかの公表された業界標準に準拠することがある。例えば、システムバス４１０は、次のバス構成のうちの何らかに準拠して設計されることがある。例えば、ＩＳＡ（業界標準アーキテクチャ）、ＥＩＳＡ（拡張業界標準アーキテクチャ）、ＭＣＡ（マイクロ・チャネル・アーキテクチャ）、ＰＣＩ（周辺装置相互接続）、ＵＳＢ（ユニバーサル・シリアルバス）、アクセスバス、ＩＥＥＥ  Ｐ６３９４、ＡＤＢ（アップル・デスクトップバス）、ＣＨＩ（Ｃｏｎｃｅｎｔｒａｔｉｏｎ  Ｈｉｇｈｗａｙ  Ｉｎｔｅｒｆａｃｅ）、Ｆｉｒｅ  Ｗｉｒｅ、Ｇｅｏ  Ｐｏｒｔ、ＳＣＳＩ（小型コンピュータ用周辺機器インタフェース）等である。
【００２６】
更に、情報処理システム４００はメモリ４０４を有する。１つの実施例において、メモリ４０４はＳＩＭＭ（シングル・インライン・メモリ・モジュール）で提供され、他の実施例において、メモリ４０４はＤＩＭＭ（デュアル・インライン・メモリ・モジュール）で提供され、そのそれぞれは、図４に示される多数の他の装置を含んでいるマザーボードに備えられた適切なソケットに差し込まれる。メモリ４０４には、標準的なＤＲＡＭ（ダイナミック・ランダム・アクセス・メモリ）、ＥＤＯ（Ｅｘｔｅｎｄｅｄ  Ｄａｔａ  Ｏｕｔ）ＤＲＡＭ、ＳＤＲＡＭ（Ｓｙｎｃｈｒｏｎｏｕｓ  ＤＲＡＭ）、又は他の適切なメモリ技術が含まれる。メモリ４０４には、実行前にメモリ４０４にロードされる命令とデータの保存を提供する補助メモリも含まれることがある。補助メモリには、ＲＯＭ（読み取り専用メモリ）、ＰＲＯＭ（プログラム可能読み取り専用メモリ）、ＥＰＲＯＭ（消去・プログラム可能読み取り専用メモリ）、ＥＥＰＲＯＭ（電気的消去・プログラム可能読み取り専用メモリ）、又はフラッシュメモリ（ＥＥＰＲＯＭに似たブロック制御メモリ）が含まれることがある。
【００２７】
情報処理システム４００は、ネットワーク接続装置又はネットワークインタフェース４０６を有することがある。ネットワークインタフェース４０６は、情報処理システム４００と、外部装置、ネットワーク、情報源、又は複数の情報システムを管理するホストシステムのような遠隔装置との通信を行う。例えば、サーバ又は情報処理システムのようなホストシステムは、情報処理システム４００を制御するソフトウェアを動作し、情報処理システム４００のための保存としての機能を果たし、又はそれぞれの情報処理システム４００で別々に動作するソフトウェアを協調させ得る。ネットワークインタフェース４０６は、アナログ、デジタル又は無線周波数のデータを提供又は受信し得る。ネットワークインタフェースシステム４０６は、好ましくは業界で公表されたアーキテクチャ規格を実装し、その例として、ＥＩＡ（米国電子工業会）によって公表されたＲＳ−２３２、ＩｒＤＡ（赤外線通信境界）、イーサーネットＩＥＥＥ８０２規格（例えば、ブロードバンド及びベースバンドネットワーク用のＩＥＥＥ８０２．３、ギガビット・イーサーネット用のＩＥＥＥ８０２．３ｚ、トークン・パッシング・バスネットワーク用のＩＥＥＥ８０２．４、トークン・リング・ネットワーク用のＩＥＥＥ８０２．５、メトロポリタンエリアネットワーク用のＩＥＥＥ８０２．６、無線ネットワーク用の８０２．６６等）、ファイバーチャネル（Ｆｉｂｒｅ  Ｃｈａｎｎｅｌ）、ＤＳＬ（デジタル加入者線）、ＡＤＳＬ（非同期デジタル加入者線）、フレーム・リレー、ＡＴＭ（非同期転送モード）、ＩＳＤＮ（サービス統合デジタル網）、ＰＣＳ（パーソナル通信サービス）、ＴＣＰ／ＩＰ（伝送制御プロトコル／インターネットプロトコル）、ＳＬＩＰ／ＰＰＰ（シリアル回線インターネットプロトコル／ポイント・ツー・ポイント・プロトコル）、ＵＳＢ（ユニバーサル・シリアルバス）がある。例えば、ネットワークインタフェースシステム４０６は、ネットワーク・アダプタ、シリアルポート、パラレルポート、プリンタ・アダプタ、モデム、ＵＡＲＴ（万能非同期送受信機）ポート等を有することがあり、又は赤外線ポート、ＲＦ（無線周波数）通信アダプタ、赤外線トランスデューサ又はＲＦモデムのような多様な無線技術又は無線リンクを使用することがある。
【００２８】
情報処理システム４００は、好ましくは表示システム４１２を有することがある。このことは、情報処理システム４００が表示装置に接続したときに、表示の生成を可能にし得る。表示システム４１２は、ＶＲＡＭ（画像表示専用メモリ）、バッファ及び所要のグラフィックエンジンを含む、表示装置を駆動するための全ての装置を有するビデオディスプレイアダプタを有することがある。表示装置は、ＬＣＤ（液晶表示装置）を有することがあり、又は、ＬＥＤ（発光ダイオード）や、ガスディスプレイ若しくはプラズマディスプレイのような他の表示技術を有することがあり、若しくはフラットスクリーン技術を使用することがある。
【００２９】
情報処理システム４００は、入出力（Ｉ／Ｏ）システム４１６を更に有することがある。このことは、Ｉ／Ｏ装置が情報処理システム４００に接続されたときに、Ｉ／Ｏ装置を介したユーザ入力を可能にし得る。入出力システム４１６は、１つ以上のＩ／Ｏ装置間のインタフェース機能を提供するための１つ以上のコントローラ又はアダプタを有することがある。例えば、入出力システム４１６は、マウス、ジョイスティック、トラックボール、トラックパッド、トラックスティック（ｔｒａｃｋｓｔｉｃｋ）、赤外線トランスデューサ、プリンタ、モデム、ＲＦモデム、バーコード・リーダ、ＣＣＤ（電荷結合素子）リーダ、スキャナ、ＣＤ（コンパクトディスク）、ＣＤ−ＲＯＭ（コンパクトディスク読み取り専用メモリ）、ＤＶＤ（デジタル多用途ディスク）、ビデオ・キャプチャー装置、タッチスクリーン、スタイラス、電子音響変換器、マイクロフォン、スピーカ等のような対応する入出力装置間のインタフェース用に、シリアルポート、パラレルポート、ネットワーク・アダプタ、プリンタ・アダプタ、ＲＦ（無線周波数）通信アダプタ、ＵＡＲＴ（万能非同期送受信機）ポート等を有することがある。いくつかの実施例には、専用の配列のボタンとのインタフェースのためのキーパッド走査機構又はシステムが含まれる。当業者による図４の情報処理システム４００の変更形態又は再構成は、本発明の範囲を逸脱しないことがわかる。
【００３０】
当然ながら、本発明のシステムと方法及びその付随する利点が、前述の説明で理解される。また、本発明の範囲を逸脱することなく、又はその主要な利点の全てを犠牲にすることなく、構成要素の形式と構成において多用な変更が行われることが明らかである。前述の形式は、単に説明のための実施例にすぎない。そのような変更を含むことが、特許請求の範囲の目的である。
【図面の簡単な説明】
【００３１】
【図１】本発明の実施例によるコンテンツを配信するシステムを示したものである。
【図２】ストリーミングコンテンツのブロードキャストを通じてコンテンツを配信するための処理の実施例である。
【図３】ストリーミングコンテンツのブロードキャストを通じてコンテンツを配信するための処理の実施例である。
【図４】本発明の情報処理システムのブロック図である。
【符号の説明】
【００３２】
１００  コンテンツを配信するためのシステム
１１０  コンテンツ配信サービス
１２０  コンテンツデータベース
１３０  顧客データベース
１４０  ネットワーク
１５０  デジタル情報装置
４００  情報処理システム
４０２  処理システム
４０４  メモリ
４０６  ネットワーク接続装置
４１０  メッセージバス
４１２  表示システム
４１６  入出力システム
【図１】
2005071348.tif 000003
【図２】
2005071348.tif 000004
【図３】
2005071348.tif 000005
【図４】
2005071348.tif 000006